(57)【特許請求の範囲】
【請求項１】
走行機体に装着される代掻ロータリ装置と、該代掻ロータリ装置の走行方向後方に取付けられる播種装置と、を備えた播種機において、
前記代掻ロータリ装置のロータリ本体に固定され、上方に延びるセットアームを有する取付けフレームと、
前記セットアームに上下位置を調節自在に固定される調節部材と、を備え、
前記播種装置は、底部に繰出し部を有するホッパと、前記繰出し部から下方の散布口に向けて種子を誘導する誘導管と、を有し、
前記調節部材と前記ホッパとを第１の連結部材を介して連結し、
前記調節部材と前記誘導管の散布口とを第２の連結部材を介して連結し、
前記調節部材の上下位置の調節により、前記ホッパ及び前記誘導管の散布口を共に上下位置を調節してなる、
ことを特徴とする播種機。
【請求項２】
前記ホッパを、前記走行機体の進行方向に直交する幅方向に複数個配置し、前記各ホッパの繰出し部から分岐して複数個の前記誘導管を延出し、
前記複数個の各誘導管の前記散布口部分を前記幅方向に長いガイド棒に、前記幅方向位置を調節自在に固定し、
前記ガイド棒を前記第２の連結部材を介して前記調節部材に連結してなる、
請求項１記載の播種機。
【請求項３】
前記第２の連結部材は、長さを調節自在に構成され、
前記誘導管は、フレキシブルホースからなる誘導ホースと、該誘導ホースの先端を摺動自在に嵌合しかつ前記散布口を有する誘導パイプと、を有する、
請求項１又は２記載の播種機。
【請求項４】
前記誘導管の前記散布口に、山形形状の拡散部を有し、前記散布口から落下する種子を幅方向に拡散する拡散板を配置し、
前記拡散部の位置を前記散布口に対して遠近自在に固定して、前記拡散部による種子の拡散範囲を調節してなる、
請求項１ないし３のいずれか１項に記載の播種機。
【発明の詳細な説明】
【技術分野】
【０００１】
本発明は、圃場面に代掻と同時に水稲種子等の種子を直播する播種機に関する。
【背景技術】
【０００２】
近時、移植栽培に対して、育苗作業や苗運搬等の作業を不要にして、省力化の図れる直播栽培、特に湛水直播栽培が注目されている。従来、該湛水直播栽培用としてトラクタの後方に代掻ロータリ装置を装着し、かつ該代掻ロータリ装置に播種装置を一体に設け、湛水田に代掻を施すと同時に、播種装置により水稲種子を直播する播種機が案出されている（特許文献１参照）。
【０００３】
一般に、湛水直播栽培は、種籾に酸素発生剤（過酸化石灰；カルパー剤）や鉄粉等をコーティングして、苗立ちの安定化を図っている。カルパーコーティングの場合、鳥害や苗の吹き寄せを防ぐ目的で、深さ１０ｃｍ程度に土中播種されるのが一般的であり、鉄コーティングの場合、種籾に鉄重量が付加されるため、表面播種される。
【０００４】
特許文献１に記載の播種装置は、カルパーコーティング種子に適用され、側面視鋸歯状の粒体収容溝を有する回転体を備え、該回転体の回転により粒体収容溝に収容された種子を周方向に加速させて放出し、粒体誘導管により代掻田面に誘導して、種子を湛水田面に所定深さ貫入する。
【先行技術文献】
【特許文献】
【０００５】
【特許文献１】特許第２７１６０８４号公報
【発明の概要】
【発明が解決しようとする課題】
【０００６】
前記種籾のコーティングは、コストや手間のかかる面倒な作業である。コーティングしない無コーティング種子を用いて、湛水直播栽培することも研究されている。該無コーティング種子による湛水直播栽培は、催芽種子を用いて、浅く土中に播種することが望ましいとの実験結果を得ている。
【０００７】
湛水田面における種子の埋没深さは、特に無コーティング種子の場合、鳥害や苗の吹き寄せ、並びに苗立ち率や発芽率に大きな影響を与え、正確に管理することが好ましい。代掻ロータリ装置に播種装置を一体に装着した前記播種機にあっては、代掻ロータリ装置による代掻深さを変更した場合、播種装置の種子散布高さも変ってしまい、上述した正確な種子の埋没深さを管理することができない。
【０００８】
そこで、本発明は、代掻ロータリ装置に対して、播種装置を上下位置調節自在とし、もって上述した課題を解決した播種機を提供することを目的とするものである。
【課題を解決するための手段】
【０００９】
本発明は、走行機体（２）に装着される代掻ロータリ装置（５）と、該代掻ロータリ装置の走行方向後方に取付けられる播種装置（６）と、を備えた播種機（１）において、
前記代掻ロータリ装置（５）のロータリ本体（９）に固定され、上方に延びるセットアーム（１７）を有する取付けフレーム（１５）と、
前記セットアーム（１７）に上下位置を調節自在に固定される調節部材（１９）と、を備え、
前記調節部材（１９）に前記播種装置（６）を支持したことを特徴とする。
【００１０】
例えば図２を参照して、前記播種装置（６）は、底部に繰出し部（３７）を有するホッパ（２７）と、前記繰出し部（３７）から下方の散布口（Ａ）に向けて種子を誘導する誘導管（３９）と、を有し、
前記調節部材（１９）と前記ホッパ（２７）とを第１の連結部材（２５）を介して連結し、
前記調節部材（１９）と前記誘導管（３９）の散布口（Ａ）とを第２の連結部材（５２）を介して連結し、
前記調節部材（１９）の上下位置の調節により、前記ホッパ（２７）及び前記誘導管（３９）の散布口（Ａ）を共に上下位置を調節してなる。
【００１１】
例えば図３を参照して、前記ホッパ（２７）を、前記走行機体（２）の進行方向に直交する幅方向に複数個配置し、前記各ホッパの繰出し部（３７）から分岐して複数個の前記誘導管（３９）を延出し、
前記複数個の各誘導管（３９）の前記散布口（Ａ）部分を前記幅方向に長いガイド棒（５０）に、前記幅方向位置を調節自在に固定し、
前記ガイド棒（５０）を前記第２の連結部材（５２）を介して前記調節部材（１９）に連結してなる。
【００１２】
例えば図２を参照して、前記第２の連結部材（５２）は、長さを調節自在に構成（５２ａ，５２ｂ）され、
前記誘導管（３９）は、フレキシブルホースからなる誘導ホース（４０）と、該誘導ホースの先端を摺動自在に嵌合しかつ前記散布口（Ａ）を有する誘導パイプ（４１）と、を有する。
【００１３】
例えば図４、図５を参照して、前記誘導管の前記散布口（Ａ）に、山形形状の拡散部（４５ｂ）を有し、前記散布口（Ａ）から落下する種子を前記幅方向に拡散する拡散板（４５）を配置し、
前記拡散部（４５ｂ）の位置を前記散布口（Ａ）に対して遠近自在に固定して、前記拡散部（４５ｂ）による種子の拡散範囲を調節してなる。
【００１４】
なお、前記カッコ内の符号は、図面を対照するためのものであるが、これにより特許請求の範囲に記載の構成に何等影響を及ぼすものではない。
【発明の効果】
【００１５】
請求項１に係る本発明によると、代掻ロータリ装置により圃場面を代掻した状態で連続して播種装置により播種することができるものでありながら、代掻ロータリ装置による代掻深さの設定が変更された場合でも、代掻ロータリ装置に対して播種装置の上下位置を調節して適正な深さに播種することができる。特に、無コーティング種子を湛水田面に直播する場合、催芽種子を、鳥害や苗の吹き寄せを生じない範囲で浅く土中に播種することが好ましいが、上記代掻ロータリ装置に対する播種装置の上下位置の調節により、種子の埋没深さを正確に管理することができる。
【００１６】
代掻ロータリ装置のロータリ本体に一体に固定された取付けフレームのセットアームに、調節部材を上下位置を調節して固定することにより、播種装置の上下位置を容易に調節することができる。
【００１７】
また、前記調節部材に第１の連結部材を介してホッパを連結すると共に第２の連結部材を介して誘導管の散布口を連結したので、調節部材の上下位置調節により、ホッパと誘導管の散布口を同時に位置調節でき、例えば代掻ロータリ装置の位置調節に拘らず、散布口の圃場面からの高さを略々一定に保持しつつ、ホッパと散布口の位置も適正な位置関係に保つことができる。
【００１８】
請求項２に係る本発明によると、複数の誘導管の散布口の幅方向位置を、幅方向に長いガイド棒に調節自在に固定して、各散布口の間隔を容易に調節することができるので、播種条間を容易に変更できると共に、種子散布幅も変更可能である。また、上記ガイド棒が、第２の連結部材を介して前記調節部材に連結しているので、複数の各散布口の圃場面からの高さ位置は、上記幅方向位置を調節しても、すべて同一高さ位置に保持される。
【００１９】
請求項３に係る本発明によると、前記第２の連結部材は、例えば抜差し自在なスリーブとロッドのように長さを調節自在に構成したので、前記散布口の幅方向位置の調節等により誘導管を通る種子の滑らかな流れに支障を生じた場合でも、例えば鳩胸、発芽又は発根等の催芽状態にある無コーティング水稲種子を用いて、誘導管内の流れが悪くなった場合でも、ホッパの位置を高くすると同時に、前記第２の連結部材が長くなるように調節して、散布口の高さ位置を適正に保ちつつ、誘導管、特に左右端の誘導管の勾配角度が調節され、種子が誘導管内に停滞することなく滑らかに流れるようにすることができる。
【００２０】
前記散布口の幅方向位置の調節又は前記誘導管の角度調節等により、ホッパの繰出し部と散布口との間隔が変更されても、誘導管は、誘導ホース及び誘導パイプを有し、誘導ホースが誘導パイプに摺動自在に嵌合しているので、上記間隔の変更は吸収され、ホッパからの種子は、誘導パイプの散布口に向けて滑らかに誘導される。
【００２１】
請求項４に係る本発明によると、誘導管の散布口に拡散板が配置されるので、散布口から落下する種子を拡散播種することができ、かつ拡散板の拡散部を散布口に対して遠近自在に調節して、種子の拡散状態を調節することができる。なお、拡散板を取外すことにより、種子を散布口から直接条播状態で播種することも可能である。
【図面の簡単な説明】
【００２２】
【図１】本実施の形態による播種機を示す側面図。
【図２】播種機を拡大した側面図。
【図３】その後方からみた背面図。
【図４】播種装置の散布部材の背面図。
【図５】散布部材の斜視図。
【図６】マーカ装置の使用状態を示す斜視図。
【図７】マーカ装置の収納状態を示す斜視図。
【図８】使用状態を示すマーカ装置の要部の背面図。
【発明を実施するための形態】
【００２３】
以下、図面に沿って、本発明の実施の形態について説明する。本播種機１は、図１、図２及び図３に示すように、走行機体であるハーフクローラ型トラクタ２の後部にリンク装置３を介して装着される。播種機１は、代掻ロータリ装置（ロータリハロー）５と播種装置６と鎮圧ローラ７とを備える。前記リンク装置３の作業機側にはロータリ装置５のロータリ本体９が装着され、該ロータリ本体９は、左右方向に延設される駆動軸パイプ１０を有しており、その左右端部の側板を介して多数のロータリ刃１１を有するロータリ軸１１ａが支持されている。ロータリ本体９にはトラクタ２からＰＴＯ軸８を介して動力が伝達され、該動力は、上記駆動軸パイプ１０内の駆動軸を介して上記ロータリ刃１１に伝達される。上記ロータリ本体９には、ロータリ刃１１を覆うようにロータリカバー１２が一体に設けられており、該ロータリカバー１２の後端側にはロータリ刃１１の幅方向全幅に亘って均平板１３が回動自在に連結されている。
【００２４】
前記ロータリ本体９には、取付けフレーム１５を介して前記播種装置６が装着されている。取付けフレーム１５は、前端側が上記ロータリ本体９に着脱自在に固定され、後方に向けて平行に延びる１対のセットプレート１６，１６と、これらセットプレート１６の後端に固定されて上方に延びる平行なセットアーム１７，１７と、上記セットプレート１６の後端部に連結されて幅方向に延びる横フレーム１８と、該横フレーム１８の両端部に固定されていると共に、前端側をロータリ本体９の両側端部に固定されて機体前後方向に平行に延びる１対の補助フレーム２０，２０とを有する。
【００２５】
前記上方に延びる１対のセットアーム１７，１７には、それぞれ上下方向の異なる位置に複数の調節用孔１７ａ…が形成されており、これら調節用孔のいずれかを選択することにより上下位置を調節自在に調節部材（パイプ）１９が固定されている。該調節部材１９の中央部分にロックフレーム２４が外嵌され、かつロックピン２１，２１により固定されており、ロックフレーム２４にはホッパセット部材２２がピンにより一体に固定されている。該ホッパセット部材２２には、その中央部分に上方に延びるように１対のホッパアーム（第１の連結部材）２５，２５が連結されており、これらホッパアーム２５の上端部にホッパ取付け部材（パイプ）２６が一体に固定されている。幅方向に所定長さ延びている上記ホッパ取付け部材２６には所定間隔隔てて複数のホッパ２７がホッパセット金具２９により取付けられている。なお、本実施の形態では、ホッパ２７が２個取付けられているが、１個、３個又は３個以上でもよい。
【００２６】
ホッパ取付け部材２６と前記トラクタ２の後部との間に、ターンバックルからなる補強ロッド３０が連結されている。また、前記取付けフレーム１５の左右の補助フレーム２０，２０の後端には、長さ方向位置を調節自在にロッド３１が抜差し自在に固定されており、これらロッド３１の先端には上下方向に延びるスリーブ３２が一体に固定されている。該スリーブ３２にはローラステー３３が上下位置を調節自在に固定されており、該ローラステー３３には鎖３５を介して前記鎮圧ローラ７が連結されている。従って、鎮圧ローラ７は、上記ロッド３１及びローラステー３３を調節することにより、播種装置６による播種位置からの位置が調節可能である。
【００２７】
前記各ホッパ２７は、逆四角錐形からなり、その底部はシャッタ３６を介して繰出し部３７となっている。繰出し部３７には駆動モータを３８により駆動される繰出しロールが内装されており、かつ各繰出し部３７から複数（実施の形態では３本）の誘導管３９が下方向に向けて延出している。誘導管３９は、フレキシブルホースからなる誘導ホース４０と、該誘導ホース４０の下端部が挿入されて連通する誘導パイプ４１とを有する。該誘導パイプ４１の下端には種子拡散部材４２が取付けられている。
【００２８】
拡散部材４２は、図４及び図５に詳示するように、それぞれ合成樹脂からなる散布用パイプ４３と拡散板４５と規制板４６とからなる。散布用パイプ４３は、誘導パイプ４１の下端を外嵌して一体に固定されていると共に、側方に突出する２枚のガイド受け４４を有する。拡散板４５は、取付け部４５ａと、該取付け部から末広がり形状に広がると共に、中央部が、上記散布用パイプ４３の散布口４３ａ方向に突出するように山形状となる拡散部４５ｂとを有し、かつ取付け部４５ａに２本の長孔４８，４８が形成され、該長孔及びボルト４７，４７により上下方向調節自在に上記散布用パイプ４３に固定されている。また、散布用パイプ４３の散布口４３ａ部分には、上記山形の拡散部４５ｂに対向するように規制板４６が固定されている。これにより、拡散部材４２は、誘導管３９から吐出される種子を、山形形状の拡散板４５と規制板４６との間から左右（板）方向に拡散されて放出する。なお、前記拡散部材４２における散布用パイプ４３の散布口４３ａを誘導管３９の散布口としたが、前記拡散部材４２は取付けなくてもよく、従って上記散布用パイプ４３のない場合を含めて誘導管３９の散布口Ａとして定義する。
【００２９】
前記散布用パイプ４３の２枚のガイド受けラグ４４，４４の間に挟まれてガイド棒５０が、前記各誘導管３９に亘るように横（幅）方向に配置されている。上記２枚のガイド受けラグ４４，４４がボルト５１により締付けられることにより、各散布用パイプ４３が固定され、前記複数の誘導管３９の散布口Ａ間隔が調節自在に規定される。前記ホッパ取付け部材２６と上記ガイド棒５０との間に、左右端部分において誘導管ステー（第２の連結部材）５２，５２が連結されており、これら誘導管ステー５２は、伸縮自在なロッド５２ａ及びスリーブ５２ｂからなり、その長さを調節自在にボルト８０により固定される。
【００３０】
図６、図７及び図８に示すように、前記取付けフレーム１５における左右の補助フレーム２０，２０の取付け先端部には、左右のマーカ装置５３，５３が使用位置及び収納位置に移動自在に取付けられている。マーカ装置５３は、補助フレーム２０に一体のブラケット２０ａに支持ピン５４により回転自在に支持されるアーム支持金具５５を有しており、該アーム支持金具５５にマーカアーム５６が一体に固着されている。該マーカアーム５６には、先端に回転式のマーカ５７を回転自在に支持したマーカ軸５７ａが抜差し自在に嵌合されており、該マーカ軸５７ａは、その長さ位置を調節自在にボルト５９によりマーカアーム５６に固定されている。上記マーカアーム５６と一体の支持ピン５４にはスプリング受けアーム６０及び回転プレート６１が一体に固定されている。
【００３１】
前記取付けフレーム１５の横フレーム１８には前方に向けてアーム６２が突出して一体に固定されており、該アーム６２には取付け座６２ａが一体に固定されている。該取付け座６２ａには、調整ボルト６３を介してスプリングアーム６５が連結されており、該スプリングアーム６５と前記スプリング受けアーム６０との間にはスプリング６６が張設されている。該スプリング６６は、調整ボルト６３によりその張力が調整され、マーカアーム５６及びマーカ５７を支持するマーカ軸５７ａの重力に対抗するように作用するが、その引張り力は、上記重力に比して弱く設定されている。
【００３２】
前記支持ピン５４と一体の前記回転プレート６１には所定幅広の長孔６１ａが形成されている。該回転プレート６１に隣接して、前記支持ピン５４に回転自在に連結アーム６７が支持されており、該連結アーム６７は、一体の２枚のプレートからなり、その先端に連結ピン６９が貫通して支持されている。該連結ピン６９の上記２枚のプレートの間には、ボールネジからなる電動シリンダ７０のロッド７０ａが連結されており、該電動シリンダ７０の基部は前記取付け座６２ａに連結されていると共に、電動モータ７１が固定されている。前記連結ピン６９の連結アーム６７から突出した部分６９ａは、前記回転プレート６１の長孔６１ａに挿入されており、該長孔６１ａの幅は、上記連結ピンの突出部分６９ａの直径より所定量幅広からなり、電動シリンダ７０の動きに対するマーカアーム５６の動きに所定遊び量を形成している。
【００３３】
ついで、上述した構成からなる播種機１の作用について説明する。ホッパ２７に無コーティング種子、例えば催芽水稲種子を入れる。催芽程度は、鳩胸状態、２ｍｍ程度の芽出状態又は発根状態が好ましい。そして、湛水状態にある水田においてトラクタ２を走行すると共に播種機１を作動する。これにより、代掻ロータリ装置５が駆動され、ロータリ刃１１が回転すると共に均平板１３により湛水田面を均平して代掻しつつ、該代掻された田面に、播種装置６が上記水稲種子を直播する。即ち、各播種装置６は、駆動モータ３８により繰出し部３７の繰出しロールが回転し、ホッパ２７内の種籾が誘導管３９に誘導され、各ホッパ２７に対して３個に分岐された誘導ホース４０及び誘導パイプ４１を通ってそれぞれ拡散部材４２の散布口４３ａ（Ａ）に排出され、該拡散部材４２により拡散されて田面上に播かれる。
【００３４】
前記ロータリ装置５による代掻作業及び播種装置６による播種作業は、トラクタ２の進行に基づき湛水田面上を移動する。該播種された湛水田面は、鎮圧ローラ７が所定重力で鎮圧して、種籾は、湛水田面を所定の浅い埋没深さに埋込まれる。
【００３５】
前記無コーティング種子は、苗立ち率や発芽率の関係では、種子の埋没深さが浅い方が好ましく、鳥害や苗の吹き寄せの関係では、ある程度の埋没深さが好ましく、これらがバランスした所定埋没深さに管理することが求められる。一方、代掻きロータリ装置５による代掻作業は、代掻回転及び土壌等により代掻深さが調節される。該代掻深さの設定が変更されても、播種装置６は、調節部材１９を、セットアーム１７の複数の調節用孔１７ａを適宜選択して固定することにより代掻ロータリ装置５と一体の取付けフレーム１５に対して高さ位置が調節される。
【００３６】
即ち、上記調節部材１９の上下調節により、ホッパセット部材２２が一体に移動し、更に第１の連結部材であるホッパアーム２５を介してホッパ取付け部材２６が、補強ロッド３０のトラクタ機体側を中心に上下に回動することにより上下に移動し、ホッパ２７の上下位置が調節される。また、上記調節部材１９の上下調節により第２の連結部材である誘導管ステー５２，５２を介してガイド棒５０が上下に移動して、該ガイド棒５０と一体の拡散部材４２（散布口Ａ）の上下位置が調節される。これにより、ホッパ２７及び拡散部材４２が共に上下方向に移動され、ロータリ装置５に対する播種装置６全体の上下位置が調節される。
【００３７】
前記各分岐された誘導管３９及びその先端の拡散部材４２（散布口Ａ）の間隔は、ボルト５１を緩めることによりガイド棒５０に対するガイド受けラグ４４の固定を解除して、拡散部材４２を幅方向に適宜移動し、ボルト５１を締付けることにより行われる。これにより、誘導管３９の散布口Ａ（４３ａ）及び拡散部材４２の幅方向位置が調節され、播種条間及び種子散布幅を容易に変更することができる。この際、拡散部材４２（散布口Ａ）とホッパの繰出し部３７の相対位置が変化するが、該変化は、フレキシブルホースからなる誘導ホース４０により吸収されると共に、誘導ホース４０が誘導パイプ４１に抜差し自在に嵌合していることにより吸収される。
【００３８】
前記播種される無コーティング種子は、鳩胸、発芽、発根等の所定催芽状態にあり、誘導管３９内を転がり難い状態にあり、上記拡散部材４２の位置によって誘導ホース４０内の滑らかな移動に支障を来す場合がある。このような場合、前記セットアーム１７の調節用孔１７ａによりホッパ２７の高さを調節する。同時に、誘導管ステー５２及びガイド棒５０により拡散部材４２（散布口Ａ）の高さも移動するが、誘導管ステー５２をボルト８０を緩めた状態でロッド５２ａをスリーブ５２ｂに抜差しすることにより伸縮して、誘導管３９の傾斜勾配を変更する。これにより、種子の埋没深さに関係する拡散部材４２及び散布口Ａ（４３ａ）の上下（高さ）位置を所定設定位置に保持した状態で、誘導パイプ４１、特にその左右端の傾斜角を調節して、上記無コーティング種子を誘導ホース４０で停滞することなく滑らかに誘導して、各誘導管３９の拡散部材４２から正確に播種することができる。
【００３９】
拡散部材４２は、散布用パイプ４３に対する拡散板４５の位置をボルト４７及び長孔４８により調節して、散布用パイプ４３に対する拡散板４５の位置を調節し得る。即ち、拡散板４５の拡散部４５ｂが散布口４３ａに近くなるように調節することにより、散布口４３ａから落下、排出される種籾は、散布口４３ａから近い位置で拡散部４５ｂでその排出を妨げられ、対向する規制板４６と相俟って、拡散部４５ｂの山形形状に沿って横（幅）方向に広がり、拡散状態で散播して広幅条種に播種される。拡散板４５の拡散部４５ｂを散布口４３ａから離れた位置に調節することにより、散布口４３ａから落下する種籾は、散布口４３ａ及び規制板４６から離れた位置で上記拡散部４５ｂに当接して、拡散状態の狭い状態で播種される。更に、拡散板４５をボルト４７を外して取外すことにより、散布口４３ａからの種籾は、散布口４３ａ（Ａ）からそのまま落下して、条播状態に播種することができる。
【００４０】
マーカ装置５３は、図６に示すように、電動シリンダ７０が伸長状態にある場合使用位置となる。この状態では、連結アーム６７が図中反時計方向に回動して、連結ピン６９は、回転プレート６１の長孔６１ａの先端側にある。マーカ５７及びマーカアーム５６が使用位置に倒れようとする自重による回転力は、スプリング受けアーム６０に作用するスプリング６６の張力よりも大きく、マーカ５７は、スプリング６６に抗して使用位置に倒されている。この状態では、図８に詳示するように、回転プレート６１の幅広の長孔６１ａは、連結ピン６９の突出部分６９ａに接しない位置にあり、電動シリンダ７０に基づく連結ピン６９に干渉されることなく、マーカ５７は、その自重に基づき田面上を転がって条痕をつける。この際、マーカ５７及びマーカアーム５６の重力に対抗するようにスプリング６６の付勢力が作用しており、マーカ５７が過度に田面に沈み込むことが防止される。これにより、トラクタ２の走行に基づく代掻及び播種作業の進行に伴って、次工程でのトラクタ２の走行の目安となる条痕がマーカ５７により付けられる。
【００４１】
図７に示すように、電動モータ７１を駆動して電動シリンダ７０を収縮することにより、マーカ装置５３は収納位置に移動される。電動シリンダ７０の収縮方向への移動により連結アーム６７は、図中時計方向に回動して連結ピン６９を移動する。これにより、連結ピン６９の突出部分６９ａが長孔６１ａに当接して回転プレート６１を同方向に回動して、支持ピン５４を介してマーカアーム５６及びマーカ５７を収納位置に移動する。この際、マーカ５７及びマーカアーム５６の重力に基づく回転力は、スプリング６６の張力により軽減されており、上記電動シリンダ７０によるマーカ５７の収納位置への移動動力を軽減して、電動シリンダ７０は小型の容量のものを用いることが可能となる。上記スプリング６６の張力は、調整ボルト６３により調整することができる。
【００４２】
なお、上述した実施の形態は、無コーティング種子により湛水直播に適用して説明したが、本播種機は、これに限らず、鉄粉コーティング、カルパーコーティングされた種籾にも同様に適用可能であり、更に水稲種子に限らず、野菜、花卉等の水田稲用以外の種子にも適用可能である。また、代掻ロータリ装置５による代掻とは、湛水田面の代掻に限らず、圃場面を膨軟にすると共に均平化する作業のすべてを含むものである。
【符号の説明】
【００４３】
１        播種機
２        走行機体（トラクタ）
５        代掻ロータリ装置
６        播種装置
９        ロータリ本体
１５      取付けフレーム
１７      セットアーム
１９      調節部材
２５      第１の連結部材（ホッパアーム）
２７      ホッパ
３７      繰出し部
３９      誘導管
４０      誘導ホース
４１      誘導パイプ
４２      拡散部材
Ａ，４３ａ      散布口
４５      拡散板
４５ｂ    拡散部
５０      ガイド棒
５２      第２の連結部材（誘導管ステー）
【図１】
0006559978.tif 000002
【図２】
0006559978.tif 000003
【図３】
0006559978.tif 000004
【図４】
0006559978.tif 000005
【図５】
0006559978.tif 000006
【図６】
0006559978.tif 000007
【図７】
0006559978.tif 000008
【図８】
0006559978.tif 000009